(57)【特許請求の範囲】
【請求項１】
浴水をろ過するろ過タンクを有する浴水浄化装置において、
該ろ過タンクに逆方向に浴水を通水させるための手段と、
該通水させるための手段により逆方向に流れる浴水を、前記ろ過タンクの手前で分流し、該逆方向に流れる浴水の一部をろ過タンクに逆方向に通水するための分流手段と、
前記分流手段の稼動と非稼動を制御する制御手段と、を備え、
前記制御手段が、前記分流手段を稼動し、分流を行って逆方向に浴水を通水させた後に、前記分流手段を非稼動とし、分流を行わずに該逆方向に流れる浴水の全てをろ過タンクに逆方向に通水させるように制御する、
ことを特徴とする浴水浄化装置。
【請求項２】
浴水をろ過するろ過タンクを有する浴水浄化装置において、
少なくともろ過タンクに所定温度以上の熱水を循環させて洗浄する手段と、
該洗浄する手段による洗浄後に、該ろ過タンクに逆方向に浴水を通水させるための手段と、
該通水させるための手段により逆方向に流れる浴水を、前記ろ過タンクの手前で分流し、該逆方向に流れる浴水の一部をろ過タンクに逆方向に通水するための分流手段と、
前記分流手段の稼動と非稼動を制御する制御手段と、を備え、
前記制御手段が、前記分流手段を稼動し、分流を行って逆方向に浴水を通水させた後に、前記分流手段を非稼動とし、分流を行わずに該逆方向に流れる浴水の全てをろ過タンクに逆方向に通水させるように制御する、
ことを特徴とする浴水浄化装置。
【請求項３】
浴水をろ過するろ過タンクを有する浴水浄化装置の清浄化方法において、
浴水を逆方向からろ過タンクの手前で分流させて、浴水の一部をろ過タンクに逆方向に通水させ、該分流された逆方向に流れる浴水によりろ過タンクを清浄化し、
該分流された浴水による清浄化後に、分流を行わずに該逆方向に流れる浴水の全てをろ過タンクに逆方向に通水させて清浄化する、
ことを特徴とする浴水浄化装置の清浄化方法。
【請求項４】
浴水をろ過するろ過タンクを有する浴水浄化装置の清浄化方法において、
少なくともろ過タンクに所定温度以上の熱水を循環させて洗浄し、
該熱水の循環による洗浄後に、浴水を逆方向からろ過タンクの手前で分流させて、浴水の一部をろ過タンクに逆方向に通水させ、該分流された逆方向に流れる浴水によりろ過タンクを清浄化し、
該分流された浴水による清浄化後に、分流を行わずに該逆方向に流れる浴水の全てをろ過タンクに逆方向に通水させて清浄化する、
ことを特徴とする浴水浄化装置の清浄化方法。
【発明の詳細な説明】
【０００１】
【発明の属する技術分野】
この発明は、浴水浄化装置に関する。
【０００２】
【従来の技術】
浴槽内の浴水を循環させてろ過し、場合により殺菌や加熱などの処理を加えて浴水を清浄に維持する浴水浄化装置が広く普及している。
この浴水浄化装置は通常ろ過タンクを有し、該ろ過タンクにろ材をいれ、該ろ材により浴水をろ過する構成になっている。
このろ材は使用するにつれて、汚れるため、定期的な洗浄が必要であり、そのために、ろ過タンクに逆方向から浴水を循環させてろ材とろ過タンクとを洗浄する所謂逆洗浄を行える装置が知られている。
また、ろ過タンクだけではなく、装置全体に所定温度以上の熱水を循環させて清浄化する所謂熱洗浄を行える装置も知られており、上記逆洗浄と熱洗浄の両方を行えるようにした装置も多い。
【０００３】
【発明が解決しようとする課題】
しかし、上記した逆洗浄をおこなう場合、ろ過タンクの下流から強い水流を逆流させると、ろ材が暴れてろ材の損傷、破損或いは摩耗の促進を招く問題があった。
そのため、循環ポンプの制御を行う方法もあるが、ポンプの制御を行うためには制御装置が複雑化し、コスト高になる問題がある。
本発明は上記従来技術の問題を解決することを目的とする。
【０００４】
【課題を解決するための手段】
上記目的を達成するために、本発明は浴水をろ過するろ過タンクを有する浴水浄化装置において、該ろ過タンクに逆方向に浴水を通水させるための手段と、該通水させるための手段により逆方向に流れる浴水を、前記ろ過タンクの手前で分流し、該逆方向に流れる浴水の一部をろ過タンクに逆方向に通水するための分流手段と、前記分流手段の稼動と非稼動を制御する制御手段と、を備え、前記制御手段が、前記分流手段を稼動し、分流を行って逆方向に浴水を通水させた後に、前記分流手段を非稼動とし、分流を行わずに該逆方向に流れる浴水の全てをろ過タンクに逆方向に通水させるように制御する、ことを特徴とする。
上記分流によりろ過タンクに逆流する浴水の勢いは弱められるから、ろ材が暴れることなく、ろ材の損傷や摩耗を抑制できる。しかも分流は弁を設けることにより比較的簡単に実現できるから、コストの点でも有利である。また、分流逆洗浄後に分流しない逆洗浄を行うことにより汚れが完全に取り除ける。しかも、この分流しない逆洗浄は短時間行うだけで良いから、ろ材の損傷や摩耗を起こさない。
該分流による逆洗浄は熱洗浄後に行うのが好ましい。熱洗浄により汚れが剥離しやすくなっているためである。また、前記分流による逆洗浄と該分流しない逆洗浄の２回の通水により、熱洗浄で昇温したろ材の温度を完全に下げることができる。
【０００５】
【発明の実施の形態】
以下本発明の実施の形態を図面に基づいて説明する。
図１において、ポンプ５により浴槽Ｂの浴水を吸水口１０から吸水してプレフィルタ８とヒータ９を介して切替バルブ１を経由し、ろ過タンク４に上から（順方向）流して、ろ過タンク４内のろ材４０によりろ過し、ろ過タンク４の下から切替バルブ２を経由し、切替バルブ３を通って出水口１１から浴槽Ｂに戻す循環を繰り返している。
【０００６】
熱洗浄の場合には、切替バルブ３を３側に切り替えて切替バルブ３から直接ポンプ５に戻して、所定温度以上の熱水を循環させるように構成されている。
【０００７】
以上の構成において、図２に示すようにろ過タンク４の入り口側の切替バルブ２と出口側の切替バルブ３とが配管１５により連結可能になっている。そして、切替バルブ１の2側に排水管７が接続可能になっており、ろ過タンク４とろ材４０を洗浄した後の水を系外に排水できるようになっている。
【０００８】
切替バルブ１は図1に示すようにろ過タンク４の入り口と配管１５を接続可能であり、また図2に示すようにろ過タンク４の入り口と配管１５及び排水管７とを接続するように切り替えることができるようになっている。
【０００９】
切替バルブ２は図1に示すようにろ過タンク４の出口側と切替バルブ３側とを接続可能であり、また図2に示すように配管１５とろ過タンク４の出口側とを接続するように切り替え可能になっている．
【００１０】
切替バルブ３は切替バルブ２とポンプ５とを連結可能であると共に切替バルブ２と出水口１１を連結可能であり、これらの連結状態を切り替えることが可能になっている。
【００１１】
これら切替バルブ１、切替バルブ２、切替バルブ３の切り替えは制御装置６により行われるようになっている。
【００１２】
以上の構成において、図1の熱洗浄が終了したら、図2に示すように切替バルブ１と切替バルブ２及び切替バルブ３を切り替える．そしてポンプ５を駆動すれば、吸水口１０から浴槽Ｂの浴水が吸引されヒータ９を通って、一部が配管１５から切替バルブ２を経由してろ過タンク４の下側から入る。配管１５は切替バルブ１にも接続しているから、ポンプ５の浴水は分流してその一部が切替バルブ１へ流れる。
【００１３】
ろ過タンク４の下側から入った浴水はポンプ５からの浴水の一部であるから比較的弱い水流であり、ろ材４０が暴れて損傷や摩耗が生ずることが少ない．また、熱洗浄後であるから、汚れは十分に落とすことができる。
ろ過タンク４の入り口から排出された洗浄後の水は切替バルブ１でヒータ９側から分流された浴水と合流し、排水管７を通って系外に排出される。
【００１４】
前記分流逆洗浄が終了したら、図3に示すように切替バルブ１を切り替えて配管１５と切替バルブ１の接続を断ち、ポンプ５からの水の分流を停止する。この状態でポンプ５を駆動し、分流のない強い水流でろ過タンク４の出口から水を逆流させてろ材４０の洗浄を行う。前記分流洗浄で既に主たる洗浄は終了しているから、この洗浄は短時間でよく、ろ材４０の損傷や摩耗は生じない。この洗浄によりろ過タンク４に残存した汚れがほぼ完全に除去される。また熱洗浄により昇温したろ材も完全に冷却される。
【００１５】
図4乃至図7に他の実施形態を示す．この実施形態では、切替バルブ１と切替バルブ２及び切替バルブ３の機能を1つにまとめた切替バルブ２０を用いている。
切替バルブ２０は１から６までの出入り口を有し、１はヒータ９を介してポンプ５に接続し、２はろ過タンク４の入り口側に接続している。また３はろ過タンク４の出口側に接続し、４は排水管７に接続している．更に５はポンプ５と吸水口１０の間に接続し、６は出水口１１に接続している．
【００１６】
切替バルブ２０は制御装置６に制御されて切り替えが行われるようになっている。切替バルブ２０の１は２、３、４と接続可能であり、２は４と接続可能である。更に３は５及び６と接続可能になっている。
【００１７】
図４は熱洗浄状態を示しており、切替バルブ２０の１と２を接続させ、また３と５を接続させており、浴水をポンプ５からヒータ９、切替バルブ２０の１から２を経由してろ過タンク４に流し、切替バルブ２０の３から５を経由してポンプ５に戻る経路を形成している．
この構成により上記した熱洗浄と同じように熱洗浄が行える。
【００１８】
図5は分流逆洗浄状態を示しており、切替バルブ２０の１を３と４に接続し、ポンプ５からの水をろ過タンク４の出口側に流すと共に、排水管７に分流している。この構成によりポンプ５からの水の一部が３からろ過タンク４の下側から流れ込みろ材４０を洗浄してろ過タンク４の入り口から流出し、切替バルブ２０の２から４へ流れて、ここでポンプ５から分流された水と合流して排水管７へと排出される。
【００１９】
図６は分流のない逆洗浄の状態を示している。ここでは、切替バルブ２０の１を３に接続し、ポンプ５の水の全部をろ過タンク４の出口側から流し込み、更に切替バルブ２０の２を４に接続してろ過タンク４を洗浄した水を排水管７から排出するようになっている。
この逆洗浄は短時間でよく、残った汚れを取り除くことができ、しかも短時間であるためろ材４０の損傷や摩耗を生じにくい。
【００２０】
切替バルブ２０としては種々の構成のものが採用可能であるが、その一例を図7に示す。
この例では切替バルブ２０は、駆動装置２１、流入側ケース２２、可動ディスク２３、固定ディスク２４、流出側ケース２５から構成されている。流入側ケース２２は１と連通しており、流出側ケース２５は２、３、４、５、６と連通している。
【００２１】
そして、流入側ケース２２には１と連通する空間が１つ形成され、流出側ケース２５には２乃至６に連通する互いに独立した空間が形成されている．
可動ディスク２３には孔と蓋３０とが形成され、固定ディスク２４には流出側ケース２５の空間に対応した孔が形成されている。
【００２２】
可動ディスク２３は流入側ケース２２上に設けられた駆動装置２１により回転するようになっており、可動ディスク２３の位置により１と２乃至６が連結し、また蓋３０の位置により２乃至６相互間を連結できるようになっている。
駆動装置２１の駆動は制御装置６により制御されるように構成されている。
【００２３】
【発明の効果】
以上説明したように本発明の浴水洗浄装置及び清浄化方法によれば、ろ材を損傷、摩耗することなく、清浄化することが可能になる効果がある。
【図面の簡単な説明】
【図１】本発明の一実施形態を示す概略図。
【図２】本発明の一実施形態の他の動作状態を示す概略図。
【図３】本発明の一実施形態の更に他の動作状態を示す概略図。
【図４】本発明の他の実施形態を示す概略図。
【図５】本発明の他の実施形態の他の動作を示す概略図。
【図６】本発明の他の実施形態の他の動作を示す概略図。
【図７】本発明の他の実施形態における切替バルブ２０の構成を示す組み立て斜視図。
【符号の説明】
１：切替バルブ、２：切替バルブ、３：切替バルブ、４：ろ過タンク、５：ポンプ、６：制御装置、７：排水管、８：プレフィルタ、９：ヒータ、１０：吸水口、１１：出水口、１５：配管、２０：切替バルブ、２１：駆動装置、２２：流入側ケース、２３：可動ディスク、２４：固定ディスク、２５：流出側ケース、３０：蓋。
【図１】
0004846122.tif 000002
【図２】
0004846122.tif 000003
【図３】
0004846122.tif 000004
【図４】
0004846122.tif 000005
【図５】
0004846122.tif 000006
【図６】
0004846122.tif 000007
【図７】
0004846122.tif 000008